(57)【要約】【課題】  パーマ時間の短縮が実現し、被施術者の毛髪の損傷レベルに応じた良好なカールを形成し得るパーマネントウエーブ施術方法の提供を図る。【解決手段】  内部に発熱装置を備えたロッド１に毛髪を巻き付け、ロッド１に対して装置本体８に接続されたコード６から電気を供給して発熱させることにより巻き付けられた毛髪を加熱するに際して、ヘアスタイルの決定と被染髪者の毛髪の損傷レベルのチェックを行うカウンセリング工程と、カウンセリング工程にて確認した毛髪の損傷度に応じて、薬液を選定して、所定の部位に前処理液を塗布することにより毛髪を酸性に整える前処理工程と、ロッドに毛髪を巻き付けるワインディング施術工程と、巻き付けれらた毛髪に対して還元剤を塗布する還元剤塗布工程と、ロッドを発熱させ毛髪を加熱する加熱工程と、加熱終了後に酸化剤を塗布する酸化剤塗布工程と、毛髪をロッドから外すロッドアウト工程とを行う。【選択図】          図１
2005296351.tif 000002
【特許請求の範囲】
【請求項１】
内部に発熱装置を備えたロッドに毛髪を巻き付け、ロッドを発熱させることにより巻き付けられた毛髪を加熱することにより、毛髪にパーマネントウエーブ施術を施す方法において、
ヘアスタイルの決定と被染髪者の毛髪の損傷レベルのチェックを行うカウンセリング工程と、
カウンセリング工程にて確認した毛髪の損傷度に応じて、薬液を選定して、所定の部位に前処理液を塗布することにより毛髪を酸性に整える前処理工程と、
ロッドに毛髪を巻き付けるワインディング施術工程と、
巻き付けれらた毛髪に対して還元剤を塗布する還元剤塗布工程と、
ロッドを発熱させ毛髪を加熱する加熱工程と、
加熱終了後に酸化剤を塗布する酸化剤塗布工程と、
巻き付けていた毛髪をロッドから外すロッドアウト工程とを行うことを特徴とするパーマネントウエーブ施術方法。
【請求項２】
上記のカウンセリング工程は、毛髪の損傷レベルを少なくとも３つのレベルに評価するものであり、
上記の前処理工程は、毛髪を構成するアミノ酸の少なくとも１種を含有すると共に酸性を示す前処理液（主剤）と、加水分解ケラチンを含有する前処理液（副剤）とを準備し、上記の損傷レベルが低い毛髪に対しては毛髪の中間から毛先に前処理液（主剤）を塗布し、上記の損傷レベルが中の毛髪に対して毛髪の全体に前処理液（主剤）を塗布し、毛先に前処理液（副剤）を塗布し、損傷レベルが高い毛髪に対しては、毛髪の全体に前処理液（主剤）、毛先に前処理液（副剤）を塗布した後、毛髪を乾燥させて再度前処理液（副剤）を塗布するものであることを特徴とする請求項１記載のパーマネントウエーブ施術方法。
【請求項３】
前処理工程とワインディング施術工程との間に、還元剤、加水分解ケラチン、ピロ亜硫酸Ｎａ及びＬ−システイン塩酸塩からなる群から選択された少なく１種を含有するワインディングローションを毛髪に塗布するワインディングローション塗布工程を行うことを特徴とする請求項１又は２記載のパーマネントウエーブ施術方法。
【請求項４】
酸化剤塗布工程において、酸化剤と共にリンゴ酸を含有するバッファ剤を配合して用いることを特徴とする請求項１〜３の何れかに２記載のパーマネントウエーブ施術方法。
【請求項５】
上記のワインディング施術工程は、内部に、電源接続時に熱が発生する発熱部材を備えた、円筒状の電熱ロッドと、柔軟性及び断熱性を有する素材からなるマット状の断熱材と、電熱ロッドの外周面に取り付け可能なクリップとを用い、
電熱ロッドの外周面に、被施術者の毛髪を巻き付け、
断熱材は、ロッドの外周面の少なくとも一部を覆うように取り付られる部分であるロッド巻回部と、ロッド巻回部に対して連続する部分である間隔保持部とを備えるものであり、
断熱材のロッド巻回部をクリップに対して、クリップの挟持部の内面に沿うように、少なくとも一部が脱落しないようにして取り付け、
毛髪を巻きつけた状態の電熱ロッドの外周面に対し、ロッド巻回部をクリップと共に取り付けると共に、電熱ロッドと被施術者の頭皮との間に間隔保持部を配位することにより、電熱ロッドを頭皮から間隔を持って配位することを特徴とする請求項１〜４の何れかに記載のパーマネントウエーブ施術方法。
【発明の詳細な説明】
【技術分野】
【０００１】
本願発明は、パーマネントウエーブの方法、特に、発熱するロッドを用いたパーマネントウエーブのトータルな方法に関するもである。
【背景技術】
【０００２】
【特許文献１】特開平２００１−２９９４３２号公報
【特許文献２】特開２００２−９５６４１０号公報
【０００３】
一般的にヘアースタイルは、人の印象を左右する大変重要な要素中の一つであり、特に女性の場合は、ヘアースタイルを装ったり変更したりするために、多くの時間と苦労を要する。
このようなヘアースタイルは、顔の形態などによって、これに合う形態に変更をして、自身の姿を演出することができるようにしているが、このようなヘアースタイルの変更を行なう代表的な例は、毛髪をカットして長さを調整したり、又は、パーマネントウェーブを形成する方法が利用されている。
【０００４】
ヘアースタイルを変更することの中で、パーマ、即ち、パーマネントウェーブ処理は、何種類かに分類することができるが、大きく分類するなら下記のようになる。
第１は、被施術者Ｐの毛髪に還元剤を塗布した状態でパーマロッド（以下、ロッドという）に毛髪を巻き付けた後、適当時間経過後に酸化剤を塗布してウェーブを形成する方法である。この方法の場合には、ロッド自体は発熱しない中空等のロッドに毛髪を巻き付けた自然放置や、促進機等の外部加熱装置によって熱を加えて、パーマ液の反応を促進すると共に毛髪の乾燥を行うものである。
第２は、毛髪に水分がある状態で電熱ロッドで巻き付けた後、熱を発生させて水分を蒸発させ、ウェーブを形成するというものである。この第２の方法は、電源接続時に熱が発生可能な発熱部材を内部に備えた電熱ロッドに毛髪を巻き付け、ロッド自体が発熱する点に特徴がある。
図１には、上記のパーマ方式中、第２の場合において、パーマを実施する場合が図示されている。この方式は、多数の電熱ロッド１に毛髪巻き付けた後、電熱ロッド１と、電源供給手段である装置本体８のソケット７とを、コード６によって接続し、ロッド内の発熱部材を発熱させて、毛髪を乾燥させるものである。そして、所定時間経過後には、電熱ロッド２の外形の屈曲に応じたウェーブが毛髪に形成される。
【０００５】
上記の第１、第２のパーマ方式は一長一短があるが、第１の方法（加温式）では、加熱のための熱源が頭部より離れた位置にあるのに対して、第２の方法では、頭部の直近のロッドが発熱すると言った基本的な相違がある。そのため、第２の方法の場合には、均一なカールが形成できるといった利点があるが、一つ間違えば、毛髪に対するダメージが大きくなり、クレームの原因ともなり得る。また、第２のパーマ方式の場合には、頭部の直近に配位される電熱ロッドが熱源となり、しかも８０〜１００℃という高温での加熱を行うため、電熱ロッドから発生する熱が頭皮に直接伝導されることにより過多な熱が伝達される場合、頭皮に火傷などの損傷を与えることもあるという問題点も指摘されている。
【０００６】
このように、毛髪を巻き付けて内部から加熱を行う形式のパーマネントウエーブの形成方法であって、還元剤及び酸化剤を用いてパーマをかけるものとしては、特許文献１、２のものが提案されているが、これらのいずれもヘアアイロンを用いて行うものである。本願発明は、上記の第２のパーマ処理であって、均一で良好なカールを形成でき、且つ、パーマ時間の短縮が実現できる方法を提供せんとする。
【０００７】
ところで、今日パーマ離れが進んでいるとも言われるが、それは、パーマに時間がかかる、毛髪が損傷する、家庭での手入れが困難である、思ったヘアースタイルにならないと言った声が聞かれ、施術者としても顧客にパーマを提案したいが、自信がない、不安だと感じている者もある。本願発明は、このようなパーマ離れの解消ともなり得るパーマネントウエーブの新たなシステムを提供するものである。
【発明の開示】
【発明が解決しようとする課題】
【０００８】
本願発明は、電源接続時に熱が発生可能な発熱部材を内部に備えた電熱ロッドに毛髪を巻き付け、ロッド自体を発熱させてパーマを行うに際して、被施術者の毛髪の損傷レベルに応じた良好なカールを形成することができ、且つ、パーマ時間の短縮が実現できる方法を提供することを目的とするものである。
【課題を解決するための手段】
【０００９】
本願の請求項１に係る発明は、内部に発熱装置を備えたロッドに毛髪を巻き付け、ロッドを発熱させることにより巻き付けられた毛髪を加熱することにより、毛髪にパーマネントウエーブ施術を施す方法において、ヘアスタイルの決定と被染髪者の毛髪の損傷レベルのチェックを行うカウンセリング工程と、カウンセリング工程にて確認した毛髪の損傷度に応じて、薬液を選定して、所定の部位に前処理液を塗布することにより毛髪を酸性に整える前処理工程と、ロッドに毛髪を巻き付けるワインディング施術工程と、巻き付けれらた毛髪に対して還元剤を塗布する還元剤塗布工程と、ロッドを発熱させ毛髪を加熱する加熱工程と、加熱終了後に酸化剤を塗布する酸化剤塗布工程と、巻き付けていた毛髪をロッドから外すロッドアウト工程とを行うことを特徴とするパーマネントウエーブ施術方法を提供する。
本願の請求項２に係る発明は、上記のカウンセリング工程は、毛髪の損傷レベルを少なくとも３つのレベルに評価するものであり、上記の前処理工程は、毛髪を構成するアミノ酸の少なくとも１種を含有すると共に酸性を示す前処理液（主剤）と、加水分解ケラチンを含有する前処理液（副剤）とを準備し、上記の損傷レベルが低い毛髪に対しては毛髪の中間から毛先に前処理液（主剤）を塗布し、上記の損傷レベルが中の毛髪に対して毛髪の全体に前処理液（主剤）を塗布し、毛先に前処理液（副剤）を塗布し、損傷レベルが高い毛髪に対しては、毛髪の全体に前処理液（主剤）、毛先に前処理液（副剤）を塗布した後、毛髪を乾燥させて再度前処理液（副剤）を塗布するものであることを特徴とする請求項１記載のパーマネントウエーブ施術方法を提供する。
本願の請求項３に係る発明は、前処理工程とワインディング施術工程との間に、還元剤、加水分解ケラチン、ピロ亜硫酸Ｎａ及びＬ−システイン塩酸塩からなる群から選択された少なく１種を含有するワインディングローションを毛髪に塗布するワインディングローション塗布工程を行うことを特徴とする請求項１又は２記載のパーマネントウエーブ施術方法を提供する。
本願の請求項４に係る発明は、酸化剤塗布工程において、酸化剤と共にリンゴ酸を含有するバッファ剤を配合して用いることを特徴とする請求項１〜３の何れかに２記載のパーマネントウエーブ施術方法を提供する。
本願の請求項５に係る発明は、上記のワインディング施術工程は、内部に、電源接続時に熱が発生する発熱部材を備えた、円筒状の電熱ロッドと、柔軟性及び断熱性を有する素材からなるマット状の断熱材と、電熱ロッドの外周面に取り付け可能なクリップとを用い、
電熱ロッドの外周面に、被施術者の毛髪を巻き付け、断熱材は、ロッドの外周面の少なくとも一部を覆うように取り付られる部分であるロッド巻回部と、ロッド巻回部に対して連続する部分である間隔保持部とを備えるものであり、断熱材のロッド巻回部をクリップに対して、クリップの挟持部の内面に沿うように、少なくとも一部が脱落しないようにして取り付け、毛髪を巻きつけた状態の電熱ロッドの外周面に対し、ロッド巻回部をクリップと共に取り付けると共に、電熱ロッドと被施術者の頭皮との間に間隔保持部を配位することにより、電熱ロッドを頭皮から間隔を持って配位することを特徴とする請求項１〜４の何れかに記載のパーマネントウエーブ施術方法を提供する。
【発明の効果】
【００１０】
本願発明は、本願発明は、ロッドに毛髪を巻き付けてロッド自体を発熱させて行うためパーマ時間の短縮が実現できると共に、被施術者の毛髪の損傷レベルに応じた良好なカールを形成することができる新たなパーマネントウエーブ施術方法を提供することができたものである。また請求項５の発明にあっては、上記の施術に際して頭皮を保護することがてきるパーマネントウエーブ施術方法を提供することができたものである。
【発明を実施するための最良の形態】
【００１１】
以下、図面に基づき本願発明の実施の形態を説明する。
この実施の形態に係るパーマネントウエーブプロセスは、下記の（１）〜（１３）の工程によって実施される。
【００１２】
（１）カウンセリング
（２）プレシャンプー
（３）準備
（４）前処理
（５）ワインディングローション塗布
（６）ワインディング施術
（７）還元剤塗布
（８）加熱
（９）テストカール
（１０）アフターローション塗布
（１１）ロットアウト
（１２）プレーンリンス
（１３）仕上げ
以下、各工程を順次説明する。
【００１３】
（１）カウンセリング
このカウンセリング工程は、被施術者の希望並びに髪質に応じて、最適なパーマを実現するために行うものであり、（ａ）スタイル設定と、（ｂ）毛髪診断・損傷レベルチェックとに大別し得る。
【００１４】
（ａ）スタイル設定
スタイル設定は、パーマによる髪形を決定するために行われるものであり、下記の４工程からなる。
【００１５】
（ａ１）被施術者の希望するスタイルの確認
被施術者がどのような髪形を希望しているのかを、聞き出して確認する。その際、必要に応じて髪形の具体的な図形、写真、映像等を用いる。
（ａ２）被施術者の年齢、職業、ファッション、好みの把握
髪形は、被施術者の年齢、職業、ファッション、好み等、被施術者の人格に総合的に適合することが望ましく、これらの点を、施術者は充分に把握することに努める。
（ａ３）施術者からの提案、アドバイスを被施術者に伝える。
上記の（ａ１）（ａ２）から、施術者が適当であると思われる髪形を提案し、アドバイスを行い、被施術者と充分なコミュニケーションを図った上で、髪形を決定する。
（ａ４）細かなニュアンスの確認
髪形を記載したオーダーブックなどを示して、髪形の細かなニュアンスを確認して、最終的な髪形を確認する。
【００１６】
（ｂ）毛髪診断、損傷レベルチェック
（ｂ１）パーマ、カラー（染髪）の履歴の確認
被施術者が過去にパーマ及びカラー（染髪）をどの程度行っていたかによって、毛髪の損傷程度が異なったり、パーマのかかり易さの程度が異なるため、これを確認する。一般にパーマ及びカラー（染髪）は毛髪を損傷する傾向が高く、パーマがかかりにくい。
（ｂ２）毛質・毛量・毛流のチェック
被施術者の毛髪を目視や手触りで確認し、その毛髪の質、毛髪の量・毛髪の流れ（直毛や縮毛）の状態を確認する。
（ｂ３）損傷レベルの把握
上記の（ｂ１）（ｂ２）を総合的に勘案して、少なくもと２段階か３段階、望ましくは５段階に損傷レベルを評価する。５段階評価の場合、損傷レベル１が最も損傷度が低く、パーマやカラーの経験が無いか少なく、損傷度が低い良好な髪質で、パーマがかかり易い。他方、損傷レベル５が最も損傷度が高く、パーマやカラーの履歴が多く、損傷度が高い劣悪な髪質でパーマがかかりにくい。
（ｂ４）前処理剤、ワインディングローションの選定
上記の（ｂ３）の損傷レベルの評価に基づき、後の工程で使用する薬液又は前処理剤を選定する。この選定の説明については、ワインディングローション及び前処理剤の説明と共に行う。
（ｂ５）ロットの選定
髪形と共に上記の（ｂ３）の損傷レベルの評価に基づき、ワインディングに際して用いるロットを選定する。
【００１７】
（２）プレシャンプー
このプレシャンプー工程は、パーマの被施術者の毛髪を洗浄するもので、汚れを落とす程度にソフトに行う事が望ましい。
【００１８】
（３）準備
この準備工程は、次の（４）前処理で用いる前処理剤の準備と、パーマ装置の通電チェックを行うものである。
【００１９】
（４）前処理
この前処理工程は、上記の（１）（ｂ）にて確認した毛髪の損傷度に応じて、薬液を選定して、所定の部位に下記の前処理液（主剤）と前処理液（副剤）とを塗布する工程である。特に、損傷度の大きなへダメージ部分はアルカリに傾いているので、特に丁寧に前処理液（主剤）を充分に塗布することが望ましい。また、損傷度の高い毛で乾燥しやすい髪質の場合は前処理液の浸透を良くする為にスチーム等を当てることも望ましい。
【００２０】
前処理液（主剤）
前処理液（主剤）は、本パーマネントウエーブプロセス中で用いる薬液のうち最も強い酸性を示すアミノ酸の濃縮液である。損傷している毛髪は、酸性のアミノ酸が流出しており、アルカリ性を示す。これを弱酸性にするためのものが前処理液（主剤）であり、ｐＨ２〜４、特にｐＨ３程度のものが好ましく、グルタミン酸、アスパラギン酸を主成分とするものである。さらに、グルタミン酸、アスパラギン酸の他、毛髪を構成している２０種類のアミノ酸のうち特に流失しやすい複数種類のものを高濃度でブレンドしたものとして実施することが望ましく、具体的には、グリシン、セリン、トレオニン、アラニン、プロリン、アルギニンなどを配合しておくことが望ましい。
【００２１】
前処理液（副剤）
前処理液（副剤）は、ｐＨ５程度の弱酸性を示し、塗布された毛髪は、弱酸性を維持する。加水分解物で毛髪の内部と外部の二重の保護作用と損傷毛髪の軟化作用をなし、毛髪は弱酸性を維持する。その主成分は、ケラチンを加水分解し小分子化した加水分解ケラチンを必須として、加水分解シルクを付加することが望ましい。この加水分解シルクは、絹たんぱくを加水分解したもので、毛髪の手ざわりを良好にする。これらの他、油分、保湿成分、ヘアコンディショニング剤などを配合しておくことが望ましい。
【００２２】
この前処理液の塗布は、次の条件で行う。
３段階損傷レベル１・５段階損傷レベル１〜２は、毛髪の中間から毛先に前処理液（主剤）を塗布する。３段階損傷レベル２・５段階損傷レベル３〜４は、毛髪の全体に前処理液（主剤）を塗布し、毛先に前処理液（副剤）を塗布する。３段階損傷レベル３・５段階損傷レベル４〜５は、全体に前処理液（主剤）、毛先に前処理液（副剤）を塗布した後、軽く乾燥させて再度前処理液（副剤）を塗布する。
【００２３】
（５）ワインディングローション塗布
このワインディングローション塗布工程は、毛髪のダメージをおさえて、早く・均一なカールを出すことを目的とするものである。
３段階損傷レベル１・５段階損傷レベル１〜２は、毛髪の全体に後述の還元剤を塗布する。３段階損傷レベル２以上・５段階損傷レベル３以上は、中間から毛先にワインディングローションを塗布する。
このトリートメントローションは、カール力と蛋白質の加水分解物による保護力の効果が同時に得られる。また、適度の粘度を粘度調整剤によって与えること加熱時の乾燥を抑える効果もある。主成分は、毛髪にＳ−Ｓ結合を補充してケラチンのＳ−Ｓ結合を活性させるための加水分解ケラチンやピロ亜硫酸Ｎａ、ケラチンのＳ−Ｓ結合を活性させるＬ−システイン塩酸塩とし、この他、ｐＨ調整剤としてのアルカリ剤や加水分解シルクを付加し、中性又は弱酸性とし、塗布された毛髪は弱酸性を維持する。
【００２４】
（６）ワインディング施術
ワインディング施術工程は、後述の方法で行うことが望ましいが、注意すべきは、通常のパーマネント施術のように、テンションをかけ過ぎずに行うことであり、毛髪をロットに柔らかく巻きつけるようにする点にある。
【００２５】
（７）還元剤塗布
還元剤塗布工程は、ワインディングされた毛髪に対して、還元剤を塗布する工程である。還元剤は従来のものを用いればよく、例えばチオグリコール酸、システイン、亜硫酸塩などの還元性物質を主成分として用いるもので、毛髪中のＳ−Ｓ結合を還元開鎖するものを用いることができるが、パーマ液（パーマ第１剤）に限るものではなく、化粧品分類に属するシステアミン系のものをも用いることができる。特に、化粧品分類に属するシステアミン系のものは、従来の方法ではパーマネントの効果が比較的短期間（例えば１ケ月間）でなくなってしまっていたが、本システムによればそのパーマの維持期間を長くすることができ（例えば２〜３ケ月間）、しかも、柔らかで軽くてしっかりしたリッジができる点で適するものである。
【００２６】
（８）加熱
加熱工程は、所定の温度と加熱時間で、ロットを発熱させ、毛髪を加熱する工程である。
温度（ロッドの発熱設定温度）と加熱時間はスタイルと損傷レベルで決めるが、基本温度は４０℃から６０℃、より望ましくは４５℃〜５５℃とし、加熱時間は６分から１０分を最初の目安とする。損傷度が高い毛髪は乾燥度合いを２〜３分前にチェックし、乾燥しぎないように注意する。また、損傷度が特に高く、パーマがかかりにくい髪質は、始めの３〜４分は５０℃で加温して残りの時間を４５℃で加温とすることが望ましい。このように、本システムによれば、従来の方法に比して極めて低い温度によって加熱を行うため、火傷などのおそれはなく、特に、後述のように適度な断熱材を併用することによって、頭部が適度に温められ、極めて心地よく、人によっては眠ってしまうほどの心地よさを被施術者に与えることができる。
【００２７】
（９）テストカール
テストカール工程は、一部のワインディング解除し、求めるカールチェックと乾燥のチェックを行うもので、軟化が足りなく乾燥はしていない時は、解除した部分を再度ワイ
ィンディングして、そのまま加温するか、そのまま放置する。軟化が足りなく乾燥している時は、還元剤を再塗布して、加温、放置又は空冷によって冷却する。
【００２８】
（１０）酸化剤塗布
酸化剤塗布工程は、従来の臭素酸塩、過ホウ酸塩、過酸化水素水などの酸化剤を主成分とするもので、毛髪中のＳ−Ｓ結合を閉鎖するものである。
酸化剤の塗布は、５分×５分の２度付けが望ましいが、これに限るものではない。また、プレスタイリングローションとしてバッファ剤を配合して用いたり併用することも望ましい。このバッファ剤は、アルカリに傾いた毛髪のｐＨを弱酸性に戻し残留アルカリを除去する事でパサつきを抑え、また、フルーツ酸によりキューティクルを閉じる為、色落ちが少なく毛触りが良くなる。ｐＨ４程度とすることが望ましい。
主たる配合は、ｐＨ調整剤として機能すると共にバッファー効果をもたらすリンゴ酸等のフルーツ酸の他、皮膜形成剤、加水分解コラーゲン、グリシン、セリンなどの保湿効果、柔軟・弾力効果のあるアミノ酸、グルタミン酸（ケラチンを構成している主要アミノ酸で毛髪を等電点に保つ）、トレオニンなどの天然保湿因子などの毛髪を構成するアミノ酸を配合しておくことが望ましい。
【００２９】
（１１）ロッドアウト
巻き付けていたロッドを定法により外す工程である。
【００３０】
（１２）プレーンリンス
プレーンリンス工程は、コンディショナーを毛髪全体に塗布し、軽く揉み込んでから、プレーンリンスを行うもので、消臭を主目的とする。また塗布後は、充分に流して、必要に応じてヘアパックを行う。
【００３１】
（１３）仕上げ
ブラッシングなどで、カールの良さを生かした仕上がりにする。
【００３２】
以上で、この実施の形態によるパーマネントウエーブ処理工程が完了するものであるが、次に、ワインディングに用いる器具の説明を行う。
【００３３】
図１に示すように、このパーマネントウエーブ処理工程に用いる装置は、複数のロッド１と、各ロッドに接続可能なコード６と、電源供給手段である装置本体８とを備え、装置本体８には、コード６のプラグに接続可能なソケット７が設けられ、コード６によって、各ロッド１と装置本体８とが接続される。このロッド１は、内部に発熱装置が設けられた電熱ロッド１であり、装置本体８には、上記の発熱装置の発熱温度並びに発熱時間を制御する制御装置が備えられているものである。
【００３４】
このロッド６は、図２〜図５に示すパーマネント用断熱材２と共に用いることが望ましい。図２は、本願発明の実施の形態の一例に係るパーマネント用断熱材の斜視図であり、図３は、本例におけるパーマネント用断熱材と電熱ロッドとクリップとを組みあわせた状態を示す斜視図であり、図４は本例におけるクリップの斜視図、図５は本例のパーマネント用断熱材を利用してパーマを施す状態を示す斜視図である。
【００３５】
このパーマネント用断熱材２は、柔軟性及び断熱性を有する素材からなるロッド巻回部２１とクリップ着脱部２２とを備え、ロッド巻回部２１は、毛髪Ｈを巻いた状態の電熱ロッド１の外周面１１の少なくとも一部を覆うように取り付られる部分であり、クリップ着脱部２２は、電熱ロッド１の外周面１１に対して取り付け可能であるクリップ３における挟持部３１の少なくとも一部に対して着脱可能な部分としたものである。断熱材２のクリップ着脱部２２が、クリップ３における挟持部３１の少なくとも一部に対して着脱可能な部分であることより、クリップ３と断熱材２とを一体とでき、電熱ロッド１からクリップ３を取り外した場合などにおいても、断熱材２を床などに落としてしまうことがなく、取り扱いが容易である。
【００３６】
クリップ着脱部２２は、ロッド巻回部２１の少なくとも一方側の連続する位置に設けられたものであり、かつ、クリップ３の挟持部３１の先端３１ａが配位される部分とすることが、取付の容易性の観点から望ましい。また、ロッド巻回部２１に対して連続する位置に間隔保持部２３を備えるものであり、電熱ロッド１を毛髪Ｈに巻きつけた際に、この間隔保持部２３を被施術者Ｐの頭皮Ｓに当接させることにより、電熱ロッド１を頭皮Ｓから離して保持できるものとし、電熱ロッド１から発生する熱が頭皮Ｓへ過多に伝導されることを防止する。
上記の連続する位置とは、クリップ着脱部２２がロッド巻回部２１に対して一体に形成されることなどによる隣接した位置関係と、上記両者間において、他の要素を介在させた位置関係とのどちらも含む。
【００３７】
さらに、ロッド巻回部２１の一部において、表面側あるいは裏面側の少なくとも一方側に突出したスペーサ部２４を設け、このスペーサ部２４が備えられた部分のロッド巻回部２１にクリップ３の挟持部３１を取り付けることにより、ロッド巻回部２１に対する、クリップ３の挟持部３１の内面３１ｂの全面が密着することを緩和するようにすることも望ましい。このスペーサ部２４の形成により、ロッド巻回部２１に対する、クリップ３の挟持部３１の内面３１ｂの全面が密着することを緩和でき、ロッド巻回部２１を透過する電熱ロッド１の熱によるクリップ３の過熱を防止できる。
【００３８】
この電熱ロッド１の取付構造は、電熱ロッド１と断熱材２とクリップ３とが組み合わされたものであって、電熱ロッド１は円筒状のもので、内部に、電源接続時に熱が発生する発熱部材を備え、外周面１１に被施術者Ｐの毛髪Ｈを巻き付け可能なものであり、断熱材２は、毛髪Ｈを巻き付けた状態にある電熱ロッド１の、外周面１１の少なくとも一部を覆うようにして取り付けられるもので、柔軟性及び断熱性を有する素材からなるマット状のものであり、クリップ３は、電熱ロッド１に取り付け可能なものであって、その少なくとも一部が断熱材２に対して着脱可能となっており、クリップ３を電熱ロッド１から取り外した際においても、クリップ３に断熱材２が付着した状態を維持するものであり、断熱材２が付着した状態のクリップ３の挟持部３１を、電熱ロッド１の外周面１１を挟むようにして取り付けることにより、電熱ロッド１の外周面１１と、クリップ３の挟持部３１の内面３１ｂとの間に断熱材２が配位されたものであることを特徴とする。
【００３９】
また、電熱ロッド１の取付方法としては、円筒状の電熱ロッド１と、柔軟性及び断熱性を有する素材からなるマット状の断熱材２と、電熱ロッド１の外周面１１に取り付け可能なクリップ３とを用いるものであり、電熱ロッド１の外周面１１に、被施術者Ｐの毛髪Ｈを巻き付け、断熱材２には、ロッド１の外周面１１の少なくとも一部を覆うように取り付られる部分であるロッド巻回部２１と、ロッド巻回部２１に対して連続する部分である間隔保持部２３とを備えるものであり、断熱材２のロッド巻回部２１をクリップ３に対して、クリップ３の挟持部３１の内面３１ｂに沿うように、少なくとも一部が脱落しないようにして取り付け、毛髪Ｈを巻きつけた状態の電熱ロッド１の外周面１１に対し、ロッド巻回部２１をクリップ３と共に取り付けると共に、電熱ロッド１と被施術者Ｐの頭皮Ｓとの間に間隔保持部２３を配位することにより、電熱ロッド１を頭皮Ｓから間隔を持って配位可能とする。
【００４０】
より詳細に説明すると、電熱ロッド１は円筒状のものであり、外周面１１に被施術者Ｐの毛髪Ｈを巻き付けることができる。また、電熱ロッド１の端面には、電源が供給することのできるソケット（図示しない）が設けられており、電熱ロッド１の内部には電源接続時に発熱する電気ヒータなどの発熱部材が設けられている。よって、パーマ時にソケットを通じて電源を接続させることにより熱を発生させることができ、この熱が電熱ロッド１の外周面１１に伝達され、外周面１１に巻き付けられた毛髪Ｈに作用してウェーブさせることができる。
また、電熱ロッド１の両端の枠部分１２には、切欠部１２ａが形成されており、この切欠部１２ａには、図５に示すように、毛髪Ｈを電熱ロッド１に巻いた状態で固定するためのリング状のゴム５が掛けられる。
【００４１】
次に、本例のパーマネント用断熱材２（以下、断熱材２と記す）は、図２に示すように、電熱ロッド１に巻き付けられるロッド巻回部２１と、ロッド巻回部２１の一端側に形成されたクリップ着脱部２２と、同他端側に形成された間隔保持部２３から構成されている。
このような構造を持つ断熱材２において、上記のロッド巻回部２１は、電熱ロッド１に対して円滑に巻き付けることのできる材質で構成された矩形のマット状のものである。望ましくは、繊維質又は紙質によって構成されることにより、電熱ロッド１の外周面１１に容易に巻き付けられる程度の適切な柔軟性を有するものとする。
【００４２】
上記に加え、このロッド巻回部２１は、電熱ロッド１から発生する熱を有効に遮断できる程度の断熱性を有する材質で構成される。詳しくは、ロッド巻回部２１の一方側の面を電熱ロッド１の外周面１１に当接させた際において、電熱ロッド１から発生する熱を反射させるか、あるいは吸収させることにより、ロッド巻回部２１の他方側の面まで極力伝達させない程度の断熱性を有するものであり、繊維質やスポンジ質のもの、また織地、編地、不織布のものが例示できる。また、一層構造、多層構造いずれの構造も採用し得る。
また、このロッド巻回部２１は、毛髪Ｈの水分を容易に蒸発させることができるように、水分吸収性若しくは水分透過性を有するものとすることがより望ましい。
【００４３】
このロッド巻回部２１の寸法は、電熱ロッド１及び後述するクリップ３の挟持部３１の寸法と一致するか、やや大きいものとする。特に、端部に間隔保持部２３の形成される長手方向の寸法については、図３に示すように、電熱ロッド１にロッド巻回部２１とクリップ３を取り付けた状態において、間隔保持部２３がクリップ３と重ならずに、クリップ３の外側に配位できる程度の寸法とすることが望ましい。また、本例においては、このロッド巻回部２１を矩形のものとしているが、その形状は適宜変更できる。
【００４４】
クリップ着脱部２２は、上記のロッド巻回部２１に付着されて一体化された部分である。本例においては、ロッド巻回部２１の一方側の端部を表面側あるいは裏面側に折り返して形成した部分であり、ロッド巻回部２１とクリップ着脱部２２とにより、挿入口２２ｂを有するポケット状の空間部２２ａが形成されている。この空間部２２ａには、クリップ３の挟持部３１の先端３１ａが差し込まれて配位され、これにより、断熱材２とクリップ３とが容易に脱落しないようになっている。
このクリップ着脱部２２によって形成される空間部２２ａは、図２（Ａ）に示すように、図示手前及び奥側の両側端が開放した形態であっても良いし、この両側端を閉鎖し、挿入口２２ｂのみを開放した形態であっても良い。また、図２（Ａ）に示される手前側の折り返し部分を開放し、図２（Ｂ）に示すようにクリップ着脱部２２をベルト状とし、そのベルト状のクリップ着脱部２２の両端部分２２ｃのみをロッド巻回部２１の側端に対して取り付けたものとしても良い。
また、本例においてはロッド巻回部２１の一方側の端部にのみクリップ着脱部２２を設けたものとしているが、他方側の端部にも設け、クリップ３の挟持部３１の両先端共にクリップ着脱部２２に取り付けるものとしても良い。
上記のクリップ着脱部２２を形成するための方法としては、返し縫いなどの縫製や、接着剤や熱溶着などによる接着等が可能であるが、具体的な方法は自由であり、適宜変更して実施することができる。また、このクリップ着脱部２２の材質については、ロッド巻回部２１と同一のものとしても良いし、異なる材質のものとしても良い。
【００４５】
また、クリップ着脱部２２は、本例のように、ロッド巻回部２１の一方側の端部に形成したものに限られず、ベルクロ（Velcro）の登録商標で知られている面状ファスナなどを用いることにより、ロッド巻回部２１の、クリップ３の挟持部３１の内面３１ｂに接する側の面をクリップ着脱部２２とし、このように形成したクリップ着脱部２２に対して、クリップ３の挟持部３１を取り付け可能としたものであっても良い。このように、本願発明におけるクリップ着脱部２２は、クリップ３の挟持部３１の少なくとも一部に対して着脱可能な部分であれば良く、その形態は種々に変更して実施が可能である。
【００４６】
ここで、本願発明において断熱材２と組み合わせて用いるクリップ３について述べる。本例におけるクリップ３は図４に示すようなものであり、挟持部３１と取手部３２とを有する。挟持部３１は、内面３１ｂが電熱ロッド１の外周面１１とほぼ一致する曲率を有するものであり、取手部３２は、挟持部３１の基端側に一体に形成されたものである。そして、挟持部３１と取手部３２とを有する第１片３ａと、第１片３ａとほぼ同一の形態を有する第２片３ｂとを一組とし、第１片３ａと第２片３ｂとの間がばねを介在させたヒンジ（図示しない）で連結されている。これにより、取手部３２をつまむことによって挟持部３１を広げ、電熱ロッド１の外周面１１にクリップ３を取り付けることができる。
なお、本例においては、挟持部３１の先端３１ａに切欠３１ｃが形成されて櫛状になっており、かつ、第１片３ａにおける切欠３１ｃと第２片３ｂにおける切欠３１ｃとが交互に形成されているため、電熱ロッド１に取り付けを行なわない際においては、第１片３ａと第２片３ｂの挟持部３１の各先端３１ａを、図４に示すように噛み合わせることができるため、コンパクトにできる。
そして本例においては、上記のように、第１片３ａあるいは第２片３ｂにおける挟持部３１の先端３１ａが、断熱材２のクリップ着脱部２２における空間部２２ａに配位されることにより、断熱材２が脱落しないようにクリップ３に取り付けられる。
【００４７】
断熱材２における間隔保持部２３も、上記のクリップ着脱部２２と同様、ロッド巻回部２１に付着されて一体化された部分である。本例においては、ロッド巻回部２１において、クリップ着脱部２２の設けられた側とは逆側の端部に、図２（Ａ）に示すように、ロッド巻回部２１と同一の素材を継ぎ足すように取り付け、中空の筒状に形成したものである。本例では、このようにして間隔保持部２３に形成された空間部２３ａに、図３に示すように、小径のロッド４を配位させて使用する。
この間隔保持部２３については、上記のクリップ着脱部２２と同様に、ロッド巻回部２１の端部を表面側あるいは裏面側に折り返し、中空の筒状に形成しても良い。また、空間部２３ａに間隔保持部２３の素材を巻き込むことにより、中実に形成しても良い。
上記の間隔保持部２３を形成するための方法としては、上記のクリップ着脱部２２と同様、返し縫いなどの縫製や、接着剤や熱溶着などによる接着等が可能であるが、具体的な方法は自由であり、適宜変更して実施することができる。また、この間隔保持部２３の材質については、ロッド巻回部２１と同一のものとしても良いし、異なる材質のものとしても良い。
【００４８】
この間隔保持部２３は、図５に示すように、毛髪Ｈを巻いた電熱ロッド１に断熱材２を取り付けた際において、電熱ロッド１と頭皮Ｓとの間に挟まれるように配位される。これにより、間隔保持部２３を設けない場合に比べて、電熱ロッド１を頭皮Ｓから離して保持できるため、過多の熱から頭皮Ｓを守りながら、円滑にパーマを施すことができる。
【００４９】
スペーサ部２４は、クリップ３の挟持部３１の内面３１ｂが当接する部分に対応させて、ロッド巻回部２１の表面側あるいは裏面側の一部に設けた突出した部分である。本例では、図３に示すように、クリップ３の挟持部３１の先端３１ａが当接する部分の表面に貼り付けられたパッド状のものである。本例においては、クリップ３の第１片３ａと第２片３ｂの両先端３１ａに共に当接する部分に設けたものであるが、第１片３ａか第２片３ｂの一方側のみに当接するように設けても良い。
このスペーサ部２４の形成により、クリップ３の挟持部３１の内面３１ｂが均等にロッド巻回部２１に密着するのではなく、スペーサ部２４において重点的に密着する。これにより、ロッド巻回部２１におけるスペーサ部２４以外の部分では、挟持部３１の内面３１ｂの全面が密着することを緩和でき、僅かであるが隙間を設けることができるため、ロッド巻回部２１を透過する電熱ロッド１の熱をこの隙間で放散できる。よって、クリップ３の挟持部３１の内面３１ｂが均等にロッド巻回部２１に密着した場合に比べ、ロッド巻回部２１を透過する電熱ロッド１の熱によるクリップ３の過熱を防止できる。
【００５０】
ここで、上記に説明した断熱材２を利用しパーマを施す方法を説明する。この方法は、電熱ロッド１に対して毛髪Ｈを巻き付ける工程と、毛髪Ｈが巻き付けられた電熱ロッド１の外周面に断熱材２を配位させる工程と、電熱ロッド１を発熱させる工程とを含むものである。
まず、被施術者Ｐの毛髪Ｈを一定量だけ整え、整えられたこの毛髪Ｈに所定量のパーマ液（１剤）を塗布する。そして、毛髪Ｈを電熱ロッド１に必要な分量巻き付け、電熱ロッド１の両側端部に位置する切欠部１２ａの両側へゴムバンド５を引掛け、毛髪Ｈを電熱ロッド１へ固定する。
【００５１】
ここで、断熱材２のクリップ着脱部２２によって形成された空間部２２ａには、クリップ３の挟持部３１の先端３１ａを配位させておき、あらかじめクリップ３と断熱材２とを一体としておく。また、断熱材２の間隔保持部２３における空間部２３ａには、小型のロッド４を挿入し、間隔保持部２３を膨らませておく。
そして、このように毛髪Ｈを巻き付けた状態の電熱ロッド１に、断熱材２のロッド巻回部２１を覆うようにして取り付ける。クリップ３と断熱材２とは既に一体となっているため、クリップ３の取手部３２をつまみ、挟持部３１の先端３１ａを広げて挟むようにすることにより、挟持部３１の内周面３１ｂと毛髪Ｈを巻いた電熱ロッド１の外周面１１との間にロッド巻回部２１を配位することができる。このようにして電熱ロッド１に断熱材２を取り付けた状態を図示したものが図５である。この際、間隔保持部２３はロッド巻回部２１に取り付けたクリップ３よりも外側に配位される。
ここで、図５に示すように、断熱材２のクリップ着脱部２２は、頭皮Ｓと電熱ロッド１との間に配位され、そして、間隔保持部２３は、電熱ロッド１の下方であって頭皮Ｓとの間に挟まれるように配位される。
【００５２】
その後、電熱ロッド１のソケットに電源を接続して通電することにより、電熱ロッド１から熱が発生する。この熱が電熱ロッド１に巻かれた毛髪Ｈに伝達されることにより、毛髪Ｈの水分を蒸発させると共に、毛髪Ｈにウェーブが形成される。
その後、電熱ロッド１からクリップ３と断熱材２を取り外し、電熱ロッド１に巻かれた状態にある毛髪Ｈに中和液（２剤）を塗布して、毛髪Ｈに形成されたウェーブを定着させる。
ここで、電熱ロッド１からクリップ３を取り外す場合にも、クリップ３と断熱材２とが一体となっているため、断熱材２を床などに落としてしまうことがなく、取り扱いやすい。
【００５３】
上記のように断熱材２の間隔保持部２３が、頭皮Ｓと電熱ロッド１との間に配位されているため、通電中の電熱ロッド１で発生する熱が頭皮Ｓに到達するまでに一部放散されることにより、頭皮Ｓに対して過多に熱が伝達されることを防止する。よって、上記のような断熱材２を使用することにより、過多の熱から頭皮Ｓを守りながら、円滑にパーマを施すことができ、被施術者にとって極めて心地のよいパーマネント施術をなすことができるものである。
なお、本例においては、図５に示すように、クリップ着脱部２２も頭皮Ｓと電熱ロッド１との間に配位されるため、このクリップ着脱部２２においても副次的に、過多の熱から頭皮Ｓを守り、頭皮に対して極めて快適な状態を実現することができる。
【図面の簡単な説明】
【００５４】
【図１】本願発明の実施の形態に係るパーマネントウエーブのシステムに用いるパーマネント装置の全体図である。
【図２】（Ａ）は本願発明の実施の形態に係るパーマネント用断熱材の斜視図であり、（Ｂ）は同パーマネント用断熱材において、クリップ着脱部の形態を変更したものを示す要部の斜視図である。
【図３】本例におけるパーマネント用断熱材と電熱ロッドとクリップとを組みあわせた状態を示す斜視図である。
【図４】本例におけるクリップの斜視図である。
【図５】本例のパーマネント用断熱材を利用してパーマを施す状態を示す斜視図である。
【符号の説明】
【００５５】
１        電熱ロッド
１１      外周面
２        パーマネント用断熱材
２１      ロッド巻回部
２２      クリップ着脱部
２３      間隔保持部
２４      スペーサ部
３        クリップ
３１      挟持部
３１ａ    挟持部の先端
３１ｂ    挟持部の内面
Ｈ        毛髪
Ｐ        被施術者
Ｓ        頭皮
【図１】
2005296351.tif 000003
【図２】
2005296351.tif 000004
【図３】
2005296351.tif 000005
【図４】
2005296351.tif 000006
【図５】
2005296351.tif 000007